(57)【要約】【課題】ループ型ヒートパイプの始動開始時間を短縮させる熱輸送装置と、熱輸送装置を備えたプロジェクターを提供する。【解決手段】熱輸送装置１００は、ループ型ヒートパイプ１０と、ループ型ヒートパイプ１０の起動時に発熱部（光源装置１）の発熱量の制御を行う制御部と、を備える。また、熱輸送装置１００は、ループ型ヒートパイプ１０の蒸発部１１および発熱部（光源装置１）の少なくとも一方の温度を検出する温度検出部６２を備え、制御部６０は、温度検出部６２で検出された検出温度と所定温度とを比較し、検出温度が所定温度より低い場合、光源装置１の発熱量を一時的に定格以上の発熱量となるように制御を行う。【選択図】図３
2018109718.tif 000002
【特許請求の範囲】
【請求項１】
冷却対象となる発熱部の熱を受熱して作動液を蒸発させる蒸発部、
放熱を行い前記作動液の蒸気を凝縮させる凝縮部、
前記蒸発部と前記凝縮部とを接続する蒸気管、
前記凝縮部と前記蒸発部とを接続し、前記蒸気管と共にループを形成する液管、を有するループ型ヒートパイプと、
前記ループ型ヒートパイプの起動時に、前記発熱部の発熱量の制御を行う制御部と、
を備えることを特徴とする熱輸送装置。
【請求項２】
請求項１に記載の熱輸送装置であって、
前記蒸発部および前記発熱部の少なくとも一方の温度を検出する温度検出部を備え、
前記制御部は、前記温度検出部で検出された検出温度と所定温度とを比較し、前記検出温度が前記所定温度より低い場合、前記発熱部の発熱量を一時的に定格以上の発熱量となるように制御を行うことを特徴とする熱輸送装置。
【請求項３】
請求項１に記載の熱輸送装置であって、
前記冷却対象の起動からの経過時間を計測する経過時間計測部を備え、
前記制御部は、前記経過時間計測部により計測された前記経過時間と所定時間とを比較し、前記経過時間が前記所定時間より短い場合、前記発熱部の発熱量を一時的に定格以上の発熱量となるように制御を行うことを特徴とする熱輸送装置。
【請求項４】
請求項１〜請求項３のいずれか一項に記載の熱輸送装置であって、
前記凝縮部を冷却する冷却ファンを備え、
前記冷却ファンは、前記ループ型ヒートパイプが始動を開始するまでの間、停止または回転数が抑制されることを特徴とする熱輸送装置。
【請求項５】
請求項１〜請求項４のいずれか一項に記載の熱輸送装置と、
光を射出する光源装置と、
前記光源装置から射出された前記光を画像情報に応じて変調する光変調装置と、
前記光変調装置で変調された変調光を投写する投写光学装置と、
を備えることを特徴とするプロジェクター。
【請求項６】
請求項５に記載のプロジェクターであって、
前記冷却対象は前記光源装置であることを特徴とするプロジェクター。
【請求項７】
請求項６に記載のプロジェクターであって、
前記光源装置から射出された前記光の光量を調整する調光装置を備え、
前記調光装置は、前記ループ型ヒートパイプが始動を開始するまでの間、前記光量を抑制することを特徴とするプロジェクター。
【発明の詳細な説明】
【技術分野】
【０００１】
本発明は、熱輸送装置と、熱輸送装置を備えたプロジェクターに関する。
【背景技術】
【０００２】
従来、各種電子機器に用いられる冷却用デバイスとしてループ型ヒートパイプが知られている。ループ型ヒートパイプは、発熱体からの熱により作動液を蒸発せる蒸発部と、蒸発した作動液の放熱を行って蒸気を凝縮させる凝縮部と、蒸発部と凝縮部とをループ状に接続する蒸気管および液管と、により構成されている。このようなループ型ヒートパイプは、蒸発部内の蒸気流路に存在する作動液が蒸発しきるまで冷却サイクルが成立しないため、立ち上げに時間を要している。
【０００３】
特許文献１では、蒸気管と液管とに温度差を付けることで、ループ型ヒートパイプの始動開始時間を短縮する技術が開示されている。また、特許文献２では、蒸気管を加熱して蒸気管内の液を解消することで、ループ型ヒートパイプの始動開始時間を短縮する技術が開示されている。
【先行技術文献】
【特許文献】
【０００４】
【特許文献１】特開２０１２−２５５５７７号公報
【特許文献２】国際公開第２０１１／０６１９５２号
【発明の概要】
【発明が解決しようとする課題】
【０００５】
しかし、特許文献１では、ループ型ヒートパイプの他に、蓄熱材が必要となることや、発熱量が可変する場合には対応が困難となること等の課題がある。また、特許文献２では、加熱装置で蒸気管を加熱することにより蒸気管内での凝縮を防止しているが、この技術はループ型ヒートパイプの安定動作には寄与するが、始動開始時間の短縮にはあまり期待できない。
【０００６】
なお、ループ型ヒートパイプの始動開始に時間がかかる場合、冷却対象となる電子部品の発熱温度がオーバーシュートするという課題がある。また、電子部品の発熱量が小さい場合や、ヒートリークの影響が大きい場合等には、ループ型ヒートパイプが始動しないという課題もある。
従って、ループ型ヒートパイプの始動開始時間を短縮させる熱輸送装置と、熱輸送装置を備えたプロジェクターが要望されていた。
【課題を解決するための手段】
【０００７】
本発明は、上述の課題の少なくとも一部を解決するためになされたものであり、以下の形態または適用例として実現することが可能である。
【０００８】
［適用例１］本適用例に係る熱輸送装置は、冷却対象となる発熱部の熱を受熱して作動液を蒸発させる蒸発部、放熱を行い作動液の蒸気を凝縮させる凝縮部、蒸発部と凝縮部とを接続する蒸気管、凝縮部と蒸発部とを接続し、蒸気管と共にループを形成する液管、を有するループ型ヒートパイプと、ループ型ヒートパイプの起動時に、発熱部の発熱量の制御を行う制御部と、を備えることを特徴とする。
【０００９】
本適用例の熱輸送装置によれば、制御部が、ループ型ヒートパイプの起動時に、発熱部の発熱量の制御を行うことにより、蒸発部での作動液の蒸発を制御する（例えば促進させる）ことができる。従って、ループ型ヒートパイプの始動開始時間を制御する（例えば短縮させる）ことができる。また、冷却対象の発熱温度のオーバーシュートも制御する（例えば抑制する）ことができる。
【００１０】
［適用例２］上記適用例に係る熱輸送装置は、蒸発部および発熱部の少なくとも一方の温度を検出する温度検出部を備え、制御部は、温度検出部で検出された検出温度と所定温度とを比較し、検出温度が所定温度より低い場合、発熱部の発熱量を一時的に定格以上の発熱量となるように制御を行うことが好ましい。
【００１１】
本適用例の熱輸送装置によれば、蒸発部および発熱部の少なくとも一方の温度を検出する温度検出部を備える簡易な構成により、制御部は、温度検出部で検出された検出温度と所定温度とを比較し、検出温度が所定温度より低い場合、発熱部の発熱量を一時的に定格以上の発熱量となるように制御を行う。これにより、蒸発部での作動液の蒸発を促進させることができ、ループ型ヒートパイプの始動開始時間を短縮させることができる。また、冷却対象の発熱温度のオーバーシュートも抑制することができる。
【００１２】
［適用例３］上記適用例に係る熱輸送装置は、冷却対象の起動からの経過時間を計測する経過時間計測部を備え、制御部は、経過時間計測部により計測された経過時間と所定時間とを比較し、経過時間が所定時間より短い場合、発熱部の発熱量を一時的に定格以上の発熱量となるように制御を行うことが好ましい。
【００１３】
本適用例の熱輸送装置によれば、冷却対象の起動からの経過時間を計測する経過時間計測部を備える簡易な構成により、制御部は、経過時間計測部により計測された経過時間と所定時間とを比較し、経過時間が所定時間より短い場合、発熱部の発熱量を一時的に定格以上の発熱量となるように制御を行う。これにより、蒸発部での作動液の蒸発を促進させることができ、ループ型ヒートパイプの始動開始時間を短縮させることができる。また、冷却対象の発熱温度のオーバーシュートも抑制することができる。
【００１４】
［適用例４］上記適用例に係る熱輸送装置は、凝縮部を冷却する冷却ファンを備え、冷却ファンは、ループ型ヒートパイプが始動を開始するまでの間、停止または回転数が抑制されることが好ましい。
【００１５】
本適用例の熱輸送装置によれば、ループ型ヒートパイプが始動を開始するまでの間では、冷却ファンによる凝縮部の冷却は余り必要ないため、冷却ファンを停止させてもよい。又は、回転数を抑制させて動作させることでもよい。これにより、省エネルギー化や低騒音化を図ることができる。
【００１６】
［適用例５］本適用例に係るプロジェクターは、上述するいずれかの熱輸送装置と、光を射出する光源装置と、光源装置から射出された光を画像情報に応じて変調する光変調装置と、光変調装置で変調された変調光を投写する投写光学装置と、を備えることを特徴とする。
【００１７】
本適用例のプロジェクターによれば、ループ型ヒートパイプの始動開始時間を短縮した熱輸送装置を備えているため、プロジェクターを駆動した場合、発熱する冷却対象を適正に冷却することができる。また、冷却対象の発熱温度のオーバーシュートも抑制することができる。
【００１８】
［適用例６］上記適用例に係るプロジェクターにおいて、冷却対象は光源装置であることが好ましい。
【００１９】
本適用例のプロジェクターによれば、発熱量の大きい光源装置、特にレーザー光源を備える光源装置に対して、発熱温度のオーバーシュートを抑制することができ、適正な冷却を行うことができる。
【００２０】
［適用例７］上記適用例に係るプロジェクターは、光源装置から射出された光の光量を調整する調光装置を備え、調光装置は、ループ型ヒートパイプが始動を開始するまでの間、光量を抑制することが好ましい。
【００２１】
ループ型ヒートパイプの始動開始時間を短縮するために、光源装置の発熱量を一時的に定格以上の発熱量となるように制御を行うことにより、光量が定格以上の光量となり、スクリーン等に投写された画像の輝度が定格より高くなってしまう。そこで、本適用例のプロジェクターによれば、調光装置を備えることで、ループ型ヒートパイプが始動を開始するまでの間、光量を抑制することで、定格での光量に調整することにより、ループ型ヒートパイプの始動開始までの間の輝度を、始動開始後の通常動作時の輝度に合せることができる。このため、使用者に投写画像の輝度の違いによる違和感を抱かせることを抑制させることができる。
【図面の簡単な説明】
【００２２】
【図１】第１実施形態に係るプロジェクターの光学系の概略構成を模式的に示す図。
【図２】熱輸送装置の概略構成を模式的に示す図。
【図３】プロジェクターの回路の概構成を模式的に示す図。
【図４Ａ】従来のループ型ヒートパイプの始動時における駆動を説明する図。
【図４Ｂ】本実施形態のループ型ヒートパイプの始動時における駆動を説明する図。
【図５】熱輸送装置を備えたプロジェクターの動作を示すフローチャート。
【図６】第２実施形態に係るプロジェクターの回路の概構成を模式的に示す図。
【図７】熱輸送装置を備えたプロジェクターの動作を示すフローチャート。
【発明を実施するための形態】
【００２３】
以下、本発明の実施形態について、図面を参照して説明を行う。
【００２４】
〔第１実施形態〕
図１は、第１実施形態に係るプロジェクター７の光学系７０の構成を示す図である。なお、本実施形態のプロジェクター７の光学系７０は、レーザー光源１ａで構成される光源装置１と、透過型の液晶パネルで構成される光変調装置とを用いて構成されている。図１を参照して、プロジェクター７の光学系７０の構成を説明する。なお、本発明の熱輸送装置１００は、冷却対象となる光源装置１を冷却する装置として構成されている。熱輸送装置１００に関しては後述する。
【００２５】
プロジェクター７は、図１に示すように、照明装置７００、色分離光学系７１０、光変調装置としての３つの液晶パネル７３０Ｒ，７３０Ｇ，７３０Ｂ、色合成装置７４０及び投写光学系７５０を備える。
【００２６】
プロジェクター７は、概略、以下のように動作する。照明装置７００から射出された光は、色分離光学系７１０により複数の色光に分離される。色分離光学系７１０により分離された複数の色光は、それぞれ対応する液晶パネル７３０Ｒ，７３０Ｇ，７３０Ｂに入射して変調される。液晶パネル７３０Ｒ，７３０Ｇ，７３０Ｂにより変調された複数の色光は、色合成装置７４０に入射して合成される。色合成装置７４０により合成された光は、投写光学系７５０によりスクリーンＳ等に拡大投写され、フルカラーの投写画像が表示される。
【００２７】
以下、プロジェクター７の各構成要素について概略説明する。
照明装置７００は、レーザー光源１ａで構成される光源装置１、集光光学系７０１、発光素子７０２、コリメート光学系７０５、レンズアレイ７０６，７０７、偏光変換素子７０８、重畳レンズ７０９がこの順に配置された構成になっている。
【００２８】
光源装置１は、後述する発光素子７０２が備える蛍光物質を励起させる励起光として、青色のレーザー光を射出する。なお、レーザー光源１ａは、複数（図１では３つ）備えているが、レーザー光源１ａを１つだけ備える構成としても良い。
【００２９】
集光光学系７０１は、複数の凸レンズである第１レンズ７０１ａと、複数の第１レンズ７０１ａを介した光が共通して入射する凸レンズである第２レンズ７０１ｂと、を備えている。集光光学系７０１は、光源装置１から射出されるレーザー光の光線軸上に配置され、複数のレーザー光源１ａから射出された励起光を集光する。
【００３０】
発光素子７０２は、いわゆる透過型の回転蛍光板であり、モーター７０４により回転可能な円板７０３の一部に、単一の蛍光層７０３ａが円板７０３の周方向に沿って連続して形成されている。蛍光層７０３ａが形成されている領域は、青色光が入射する領域を含んでいる。発光素子７０２は、青色光が入射する側とは反対の側に向けて赤色光及び緑色光を射出するように構成されている。発光素子７０２は、青色光の集光スポットが所定の速度で蛍光層７０３ａ上を移動するような回転速度で回転する。
【００３１】
円板７０３は、青色光を透過する材料からなる。円板７０３の材料としては、例えば、石英ガラス、水晶、サファイア、光学ガラス、透明樹脂等を用いることができる。
【００３２】
光源装置１からの青色光は、円板７０３側から発光素子７０２に入射するように構成されている。蛍光層７０３ａは、青色光を透過し赤色光及び緑色光を反射するダイクロイック膜７０３ｂを介して円板７０３上に形成されている。ダイクロイック膜７０３ｂは、例えば、誘電体多層膜からなる。そのため、蛍光層７０３ａは、所定の波長の青色光によって効率的に励起され、光源装置１が射出する青色光の一部を、赤色光及び緑色光を含む黄色光（蛍光）に変換して射出し、併せて、青色光の残りの一部を変換せずに通過させる。
【００３３】
コリメート光学系７０５は、発光素子７０２からの光の拡がりを抑える第１レンズ７０５ａと、第１レンズ７０５ａからの光を略平行化する第２レンズ７０５ｂとを備え、全体として、発光素子７０２からの光を略平行化する機能を有する。第１レンズ７０５ａ及び第２レンズ７０５ｂは、凸レンズで構成される。
【００３４】
第１レンズアレイ７０６は、コリメート光学系７０５からの光を複数の部分光束に分割するための複数の第１小レンズ７０６ａを有する。第１レンズアレイ７０６は、複数の第１小レンズ７０６ａが照明光軸Ａｘと直交する面内に複数行・複数列のマトリクス状に配列された構成を有している。
【００３５】
第２レンズアレイ７０７は、第１レンズアレイ７０６の複数の第１小レンズ７０６ａに対応する複数の第２小レンズ７０７ａを有する。第２レンズアレイ７０７は、重畳レンズ７０９とともに、第１レンズアレイ７０６の各第１小レンズ７０６ａの像を液晶パネル７３０Ｒ，７３０Ｇ，７３０Ｂの画像形成領域近傍に結像させる機能を有している。第２レンズアレイ７０７は、複数の第２小レンズ７０７ａが照明光軸Ａｘに直交する面内に複数行・複数列のマトリクス状に配列された構成を有している。
【００３６】
なお、第１レンズアレイ７０６と第２レンズアレイ７０７との間には、第１レンズアレイ７０６から射出した光の光量（光源装置１から射出された光の光量）を調整する調光装置８０（図３）を備えている。調光装置８０に関しては後述する。
【００３７】
偏光変換素子７０８は、第１レンズアレイ７０６により分割された各部分光束の偏光方向を、偏光方向の揃った略１種類の直線偏光光として射出する偏光変換素子である。
重畳レンズ７０９は、偏光変換素子７０８からの各部分光束を集光して液晶パネル７３０Ｒ，７３０Ｇ，７３０Ｂの画像形成領域近傍に重畳させるための光学素子である。第１レンズアレイ７０６、第２レンズアレイ７０７及び重畳レンズ７０９は、発光素子７０２からの光の面内光強度分布を均一にするインテグレーター光学系を構成する。
【００３８】
色分離光学系７１０は、ダイクロイックミラー７１１，７１２、反射ミラー７１３，７１４，７１５及びリレーレンズ７１６，７１７を備える。色分離光学系７１０は、照明装置７００からの光を赤色光、緑色光及び青色光に分離し、赤色光、緑色光及び青色光のそれぞれの色光を照明対象となる液晶パネル７３０Ｒ，７３０Ｇ，７３０Ｂに導光する機能を有する。色分離光学系７１０と、液晶パネル７３０Ｒ，７３０Ｇ，７３０Ｂとの間には、集光レンズ７２０Ｒ，７２０Ｇ，７２０Ｂが配置されている。
【００３９】
ダイクロイックミラー７１１，７１２は、基板上に、所定の波長領域の光を反射して、他の波長領域の光を通過させる波長選択透過膜が形成されたミラーである。ダイクロイックミラー７１１は、赤色光成分を通過させ、緑色光成分及び青色光成分を反射するダイクロイックミラーである。ダイクロイックミラー７１２は、緑色光成分を反射して、青色光成分を通過させるダイクロイックミラーである。反射ミラー７１３は、赤色光成分を反射する反射ミラーである。反射ミラー７１４，７１５は青色光成分を反射する反射ミラーである。
【００４０】
ダイクロイックミラー７１１を通過した赤色光は、反射ミラー７１３で反射され、集光レンズ７２０Ｒを通過して赤色光用の液晶パネル７３０Ｒの画像形成領域に入射する。また、ダイクロイックミラー７１１で反射された緑色光は、ダイクロイックミラー７１２でさらに反射され、集光レンズ７２０Ｇを通過して緑色光用の液晶パネル７３０Ｇの画像形成領域に入射する。ダイクロイックミラー７１２を通過した青色光は、リレーレンズ７１６、入射側の反射ミラー７１４、リレーレンズ７１７、射出側の反射ミラー７１５、集光レンズ７２０Ｂを経て青色光用の液晶パネル７３０Ｂの画像形成領域に入射する。リレーレンズ７１６，７１７及び反射ミラー７１４，７１５は、ダイクロイックミラー７１２を透過した青色光成分を液晶パネル７３０Ｂまで導く機能を有する。
【００４１】
なお、青色光の光路にこのようなリレーレンズ７１６，７１７が設けられているのは、青色光の光路の長さが他の色光の光路の長さよりも長いため、光の発散等による光の利用効率の低下を防止するためである。本実施形態のプロジェクター７においては、青色光の光路の長さが長いのでこのような構成としているが、赤色光の光路の長さを長くして、リレーレンズ７１６，７１７及び反射ミラー７１４，７１５を赤色光の光路に用いる構成としてもよい。
【００４２】
液晶パネル７３０Ｒ，７３０Ｇ，７３０Ｂは、入射された色光を画像情報に応じて変調してカラーの画像光を形成するものであり、照明装置７００の照明対象となる。なお、図示を省略したが、各集光レンズ７２０Ｒ，７２０Ｇ，７２０Ｂと各液晶パネル７３０Ｒ，７３０Ｇ，７３０Ｂとの間には、それぞれ入射側偏光板が介在配置され、各液晶パネル７３０Ｒ，７３０Ｇ，７３０Ｂと色合成装置７４０との間には、それぞれ射出側偏光板が介在配置される。これら入射側偏光板、液晶パネル７３０Ｒ，７３０Ｇ，７３０Ｂ及び射出側偏光板によって、入射された各色光の光変調が行われる。
【００４３】
液晶パネル７３０Ｒ，７３０Ｇ，７３０Ｂは、一対の透明なガラス基板に電気光学物質である液晶を密閉封入した透過型のパネルであり、例えば、ポリシリコンＴＦＴをスイッチング素子として、与えられた画像信号に応じて、入射側偏光板から射出された１種類の直線偏光の偏光方向を変調する。
【００４４】
色合成装置７４０は、射出側偏光板から射出された色光毎に変調された光学像を合成してカラーの画像光を形成する光学素子である。色合成装置７４０は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００４５】
色合成装置７４０から射出されたカラーの画像光は、投写光学系７５０によって拡大投写され、スクリーンＳ上でカラー画像を形成する。
【００４６】
図２は、ループ型ヒートパイプ１０の概略構成を模式的に示す図である。図２を参照して、プロジェクター７のループ型ヒートパイプ１０の構成を説明する。本実施形態のループ型ヒートパイプ１０は、光源装置１で発熱する熱を冷却する装置として構成されている。なお、図２では、光源装置１から射出される励起光は図面下方向に設定している。
【００４７】
図２に示すように、熱輸送装置１００は、いわゆるループ型ヒートパイプ１０を備えて構成されている。ループ型ヒートパイプ１０は、蒸発部１１、凝縮部１２、蒸気管１３、および液管１４によりループ状に構成され、内部には作動液１８が封入されている。
【００４８】
蒸発部１１は、受熱部１１１及び多孔質体１１２を備えている。蒸発部１１は、光源装置１のレーザー光源１ａを駆動する回路基板（図示省略）及び固定部（図示省略）を支持固定する平面視で矩形状のベース部１ｂの形状に合わせて、矩形状の箱状に構成されている。受熱部１１１は、ベース部１ｂの形状に対応して矩形状に形成され、伝熱性のグリス（図示省略）等を介してベース部１ｂと接続され、ベース部１ｂからの熱を受熱する。受熱部１１１は、銅等の伝熱性の良い材料から形成されている。
【００４９】
受熱部１１１の内部は空洞であり、空洞内には平板状の多孔質体１１２が、後述する蒸気管１３に連通する流路としての蒸気流路１３０と、液管１４に連通する流路としての作動液流路１４０とを隔てる形態で収容されている。
【００５０】
蒸気管１３は、蒸発部１１の蒸気流路１３０に接続され、蒸発部１１と凝縮部１２とを接続し、蒸発部１１で発生した蒸気を凝縮部１２に導く。
【００５１】
凝縮部１２は、ヒートシンク１２１を備え、このヒートシンク１２１で放熱させることで蒸気を凝縮させて作動液１８を生成する。なお、凝縮部１２の近傍には、後述する冷却ファン６５が設置されており、冷却ファン６５が駆動することにより、ヒートシンク１２１からの放熱を促進している。
【００５２】
液管１４は、蒸発部１１の作動液流路１４０に接続され、蒸発部１１と凝縮部１２とを接続し、凝縮部１２で生成した作動液１８を蒸発部１１に導く。蒸気管１３、液管１４、凝縮部１２は、例えば銅等の金属パイプから形成される。
【００５３】
ループ型ヒートパイプ１０に封入する作動液１８は、水、フロリナート等のフッ素系溶剤、及びエタノール等のアルコール類等を用いることができる。本実施形態では、作動液１８として水を用いている。
【００５４】
蒸発部１１の内部（空洞）に収容される多孔質体１１２の一方の外面は、相対する蒸発部１１の内壁と接触している。また、多孔質体１１２の一方の外面には、液管１４側から、蒸気管１３の連通側に向かう溝１１２ａが、例えばスリット状に複数形成されている。この複数の溝１１２ａが蒸気流路１３０を構成している。なお、蒸気流路１３０（溝１１２ａ）は、蒸気管１３と連通している。また、蒸気流路１３０は、多孔質体１１２の外面に溝１１２ａとして構成される以外に、多孔質体１１２の一方の外面に接する受熱部１１１の内面にスリット状に溝を形成してもよい。
【００５５】
多孔質体１１２の他方の外面と、相対する蒸発部１１の内壁との間には空間Ｓが形成されており、液管１４と連通している。この空間Ｓは、作動液流路１４０として機能すると共に、液管１４で導かれる作動液１８を一時的に貯留する貯留部として機能する。
【００５６】
本実施形態のループ型ヒートパイプ１０の始動に関して説明する。なお、作動液流路１４０には、作動液１８が適度に貯留され、多孔質体１１２の全体にわたり、空孔（図示省略）内には作動液１８が満たされている場合を前提として説明する。
【００５７】
蒸発部１１（受熱部１１１）が光源装置１のベース部１ｂからの熱を受熱すると、受熱部１１１を介して多孔質体１１２の一方の外面側が加熱される。多孔質体１１２の一方の外面側が加熱されることにより、一方の外面側で蒸気が発生し、発生した蒸気が蒸気流路１３０に集められる。
【００５８】
この時、多孔質体１１２の全体が湿潤している場合、多孔質体１１２の空孔内に作動液１８が表面張力で保持されるため、発生した蒸気は多孔質体１１２を通過できない。そのため、蒸気流路１３０側の圧力が上昇することにより、蒸気は、蒸気管１３、凝縮部１２、及び液管１４内の作動液１８を、貯留部（作動液流路１４０）側に押し出す。以降、作動液流路１４０に作動液１８が供給されて、定常的な作動流体の循環が始まり、ループ型ヒートパイプ１０が始動を開始する。これにより、ループ型ヒートパイプ１０は、冷却システムとしての動作を開始する。
【００５９】
ここで、ループ型ヒートパイプ１０が始動を開始するとは、冷却対象であり発熱部となる光源装置１に電力が印加されて駆動を始めた場合に、その熱が蒸発部１１に伝達されて、ループ型ヒートパイプ１０が冷却システムとしての動作を開始することである。
また、後述するループ型ヒートパイプ１０の始動開始時間とは、蒸発部１１に熱が伝達（光源装置１の駆動が開始）されてから、ループ型ヒートパイプ１０が冷却システムとしての動作を開始するまでの時間をいう。
【００６０】
次に、ループ型ヒートパイプ１０の始動開始後の動作に関して説明する。
ループ型ヒートパイプ１０は、作動液１８が液管１４を経て貯留部（作動液流路１４０）内に流入する。作動液１８は貯留部内で一時的に貯留される。そして、貯留部（作動液流路１４０）内の作動液１８は、多孔質体１１２の毛細管力によって他方の外面側から一方の外面側に運ばれる。一方の外面側に運ばれた作動液１８は、受熱部１１１からの加熱により蒸発する。
【００６１】
この時発生した蒸気は、蒸気流路１３０を経て蒸発部１１内から流出し、蒸気管１３によって、凝縮部１２に導かれる。凝縮部１２では、放熱が行われて蒸気が凝縮し、作動液１８が生成される。凝縮部１２で生成された作動液１８は、蒸気流路１３０と作動液流路１４０との圧力差によって液管１４内を移動して貯留部（作動液流路１４０）内に移動する。
【００６２】
以上の動作により、ループ型ヒートパイプ１０は、作動流体を蒸発と凝縮とを繰り返しつつ循環させることで、蒸発部１１の熱（光源装置１の熱）を凝縮部１２に輸送する。
【００６３】
図３は、プロジェクター７の回路の概構成を模式的に示す図である。プロジェクター７の回路構成に関して説明する。
【００６４】
図３に示すように、プロジェクター７は、画像入力端子５０、画像信号入力部５１、画像信号処理部５２、ＯＳＤ（On-Screen Display）処理部５３、入力操作部５４、電源端子５５、電源部５６、記憶部５７、制御部６０、光源装置駆動部６１、温度検出部６２、冷却ファン６５、調光装置駆動部６６、光源装置１、ループ型ヒートパイプ１０、光学系７０、調光装置８０等で構成されている。また、これらの構成部は、プロジェクター７の外装筐体（図示省略）の内部に配置されている。
【００６５】
光学系７０は、上述の光学素子以外に液晶駆動部７３１を含んでいる。そして、液晶駆動部７３１は、入力される画像データに応じた駆動電圧を各液晶パネル７３０Ｒ，７３０Ｇ，７３０Ｂを構成する画素に印加する。
【００６６】
入力操作部５４は、ユーザーがプロジェクター７に対して各種指示を行うための複数の操作キー（図示省略）を有する操作パネル（図示省略）を備えている。ユーザーが入力操作部５４の操作キーを操作すると、入力操作部５４は、ユーザーの操作内容に応じた操作信号を制御部６０に出力する。
【００６７】
画像信号入力部５１は、制御部６０の指示に基づき、ビデオ再生装置やＰＣ（パーソナルコンピューター）等の外部の画像出力装置から、ケーブルを接続する複数の画像入力端子５０を介して画像情報を入力し、画像信号処理部５２に出力する。なお、画像信号入力部５１は、無線通信や光通信等の受信部を備え、外部機器から無線によって画像信号を入力する構成としてもよい。
【００６８】
画像信号処理部５２は、画像信号入力部５１から入力される画像情報を、液晶パネル７３０Ｒ，７３０Ｇ，７３０Ｂの各画素の階調を表す画像情報に変換する。
ＯＳＤ処理部５３は、制御部６０の指示に基づいて、投写画像上に、メニュー画像やメッセージ画像等のＯＳＤ画像を重畳して表示するための処理を行う。
【００６９】
制御部６０は、ＣＰＵ（Central Processing Unit）や、各種データ等の一時記憶に用いられるＲＡＭ（Random Access Memory）等を備え、記憶部５７に記憶されている制御プログラム（図示せず）に従って動作することによりプロジェクター７の動作を統括制御する。つまり、制御部６０は、記憶部５７と共にコンピューターとして機能する。
【００７０】
記憶部５７は、フラッシュメモリーやＦｅＲＡＭ（Ferroelectric RAM：強誘電体メモリー）等の書き換え可能な不揮発性のメモリーにより構成されており、プロジェクター７の動作を制御するための制御プログラムや、プロジェクター７の動作条件等を規定する各種設定データ等が記憶されている。また、記憶部５７は、本実施形態では、温度検出部６２で測定されるループ型ヒートパイプ１０の蒸発部１１の温度に対して、閾値として設定される所定の温度等を記録している。
【００７１】
温度検出部６２は、温度センサー等で構成され、ループ型ヒートパイプ１０（蒸発部１１）において、光源装置１のベース部１ｂの近傍となる受熱部１１１に設置されている。そして、温度検出部６２は、制御部６０の指示に基づき、受熱部１１１の温度を検出し、制御部６０に検出データを出力する。なお、制御部６０は、温度検出部６２からの検出データ（検出温度）を入力して、所定の温度と比較する温度比較部６０ａとしての機能を備えている。なお、制御部６０の動作の詳細は後述する。
【００７２】
光源装置駆動部６１は、制御部６０の指示に基づき、光源装置１（レーザー光源１ａ）に対する電力の供給と停止とを制御し、光源装置１の点灯および消灯を切り替える。なお、光源装置１を点灯させる場合、光源装置駆動部６１は、電源部５６からの電力が供給され、その電力を光源装置１に供給することで、レーザー光源１ａから励起光を射出させる。
【００７３】
なお、光源装置駆動部６１は、通常動作時（ループ型ヒートパイプ１０を始動開始させた以降の動作）では、光源装置１に印加する電流を調整し、光源装置１に供給する電力が一定となるように機能する。なお、光源装置駆動部６１は、本実施形態では、ループ型ヒートパイプ１０を始動する際に、制御部６０の指示により、定格の電力（通常動作時の電力）より高い電力を光源装置１に供給する。これにより、光源装置１は、ループ型ヒートパイプ１０の始動時において、通常動作時の発熱量より高い発熱量となる。詳細は後述する。
【００７４】
電源部５６は、ＡＣ１００Ｖ等の電力が電源端子５５を介して外部から供給される。電源部５６は、商用電源（交流電源）を所定の電圧の直流電源に変換して、プロジェクター７の各部に変換した電力を供給する。また、電源部５６は、光源装置駆動部６１の指示を受けて、所定の電流を光源装置駆動部６１に出力する、定電流電源としても機能する。
【００７５】
冷却ファン６５は、ループ型ヒートパイプ１０の凝縮部１２の近傍に設置されており、凝縮部１２に外気（冷却風）を吹き付けることにより、凝縮部１２の熱を冷却する。
【００７６】
調光装置８０は、光学系７０の第１レンズアレイ７０６と第２レンズアレイ７０７との間に設置されている。本実施形態の調光装置８０は、第１レンズアレイ７０６を通過した光の光量を調整することにより、ループ型ヒートパイプ１０の始動開始時において投写画像の輝度が通常動作時に比べて高くなることを抑制している。また、調光装置８０は、通常動作時での投写画像のコントラストを向上させる機能も有している。
【００７７】
調光装置８０は、一対の遮光板８１、及び回動軸８２を中心に各遮光板８１を回動させる各種ギヤ及びモーター（図示省略）等を備えている。具体的には、調光装置８０は、制御部６０の指示により、調光装置駆動部６６の制御に従って動作する。調光装置８０は、調光装置駆動部６６により、モーター、ギヤが回動することにより、一対の遮光板８１が回動軸８２を中心に照明光軸Ａｘを通る例えば水平面に対して略対称となる位置関係で回動する。この動作により、第１レンズアレイ７０６から射出される光の一部を遮光して、通過させる光量を調整する。なお、遮光板８１を通過した光は、第２レンズアレイ７０７に入射する。
【００７８】
熱輸送装置１００は、本実施形態では、ループ型ヒートパイプ１０、制御部６０（温度比較部６０ａ）、光源装置駆動部６１、温度検出部６２、冷却ファン６５、調光装置駆動部６６、調光装置８０等により構成されている。
【００７９】
図４Ａは、従来のループ型ヒートパイプの始動時における駆動を説明する図である。図４Ｂは、本実施形態のループ型ヒートパイプ１０の始動時における駆動を説明する図である。なお、図４Ａ、図４Ｂは、駆動時の状態を概念的に説明する図である。また、光源装置１に接続するループ型ヒートパイプ１０は、従来も同様に構成されて、受熱部１１１が光源装置１のベース部１ｂに熱的に接続されているものとする。
【００８０】
図４Ａ、図４Ｂにおいて、横軸Ｘは、光源装置１の起動時からの経過時間を示す。縦軸Ｙは、光源装置１の温度Ａ、光源装置１の発熱量Ｂ、及び冷却ファン６５の駆動電圧Ｃを見やすいレンジで示している。
【００８１】
図４Ａに示すように、光源装置１は、従来、光源装置駆動部６１により、明るさが一定となるように駆動（駆動電力が一定となるように駆動）されるため、発熱量Ｂは一定となっている。それに対して、光源装置１の温度Ａは、起動時から徐々に上がって行く。その途中（時間Ｔ１）において、ループ型ヒートパイプ１０が始動を開始することにより、光源装置１の熱が冷却されることで、所定の温度（定格内の温度）で略一定にすることができる。なお、この時、冷却ファン６５は、光源装置１の起動時から駆動電圧を印加されて駆動を開始している。
【００８２】
この場合、光源装置１の温度Ａは、受熱部１１１への熱伝達の遅れ（蒸発部１１での作動液１８が蒸気になるまでの時間遅れ）等により、ループ型ヒートパイプ１０の始動開始が遅れるため、定格の温度に対して大きくオーバーシュートする状態となる。
【００８３】
これに対して、本実施形態の熱輸送装置１００では、図４Ｂに示すように、光源装置１が駆動を開始した場合、光源装置駆動部６１は、制御部６０の指示により、定格の電流よりも高い電流を印加して定格の電力よりも高い電力で光源装置１を駆動する。これにより光源装置１の発熱量Ｂが定格の発熱量よりも高くなる。これにより、ループ型ヒートパイプ１０の受熱部１１１に高い熱が印加されることにより、受熱部１１１への熱伝達を早めることで、ループ型ヒートパイプ１０の始動開始の時間を従来の時間Ｔ１よりも短縮した時間Ｔ２を実現している。これにより、光源装置１の温度Ａは、従来に比べて、オーバーシュートの量を小さくすることができる。なお、この時、本実施形態において冷却ファン６５は、ループ型ヒートパイプ１０の始動開始後に、光源装置駆動部６１が通常動作時の定格の電力に戻して光源装置１の駆動を開始した状態となった場合に、駆動電圧を印加されて駆動を開始する。
【００８４】
図５は、熱輸送装置１００を備えたプロジェクター７の動作を示すフローチャートである。なお、図５は、本実施形態のループ型ヒートパイプ１０を始動させるまでのフローを示している。
【００８５】
図５に示すように、プロジェクター７の電源をＯＮする（ステップＳ１００）。ステップＳ１０１では、制御部６０は、ループ型ヒートパイプ１０の受熱部１１１に設置される温度検出部６２に受熱部１１１の温度を検出させ、温度比較部６０ａで、その検出温度と所定の温度との比較を行う。具体的には、温度比較部６０ａは、検出温度が所定温度より高いか否かを判断する。なお、この検出は所定のサンプリング周期で検出する。
【００８６】
ここで、検出温度が所定温度より低い（ステップＳ１０１：Ｎ０）と判断した場合（検出温度が所定温度に達していない場合）には、ステップＳ１０２に移行する。ステップＳ１０２では、制御部６０は、光源装置駆動部６１に対して、光源装置１の発熱量を一時的に定格以上の発熱量となるように制御を行う。
【００８７】
制御部６０の指示で光源装置駆動部６１は、電源部５６に対して指示することにより、電源部５６は、設定された電流（始動開始時の電流：通常動作時の電流よりも高い電流）を光源装置駆動部６１に送る。光源装置駆動部６１は、電源部５６からの電流を光源装置１に印加することで、光源装置１の発熱量を定格の発熱量よりも高い発熱量となるように変更する。これにより、ループ型ヒートパイプ１０の受熱部１１１には、定格の発熱量よりも高い熱量が印加される。
【００８８】
次に、ステップＳ１０３に移行する。ステップＳ１０３では、制御部６０は、冷却ファン６５への駆動電圧の印加を停止する。言い換えると、冷却ファン６５の駆動を停止させる。次に、ステップＳ１０４に移行する。
【００８９】
ここで、光源装置１の駆動電力を定格の電力よりも高めた電力に変更した場合には、結果として、投写される画像の輝度が、定格電力による投写画像の輝度よりも高くなる。そこで、ステップＳ１０４では、制御部６０は、高くなった輝度を定格電力での輝度と同等となるように調光させる（光量を抑制させる）ための指示を、調光装置駆動部６６に出力する。
【００９０】
調光装置駆動部６６は、制御部６０の指示により、調光装置８０を駆動して、設定される位置関係となるように、回動軸８２を中心として一対の遮光板８１を回動させる。この調光装置８０の動作により、光量を調整（抑制）することで、高い輝度を定格での輝度に合せる。次に、ステップＳ１０１に移行する。なお、検出温度が所定温度より低い場合には、上記プロセス（ステップＳ１０２〜ステップＳ１０４）を繰り返す。
【００９１】
ステップＳ１０１で、検出温度が所定温度より高い（ステップＳ１０１：ＹＥＳ）と判断した場合（検出温度が所定温度に達した場合）には、ステップＳ１０５に移行する。なお、検出温度が所定温度より高い場合とは、図２に示すように、光源装置１の通常動作状態よりも高い熱量がループ型ヒートパイプ１０の受熱部１１１に伝達されて、蒸気流路１３０の作動液１８が蒸発することにより、ループ型ヒートパイプ１０が始動を開始した状態となったことを意味する。
【００９２】
なお、温度比較部６０ａでの比較に用いる所定温度は、ループ型ヒートパイプ１０が始動を確実に開始する状態での温度に設定されている。また、所定温度は、光源装置１の品質を保証する仕様温度範囲内で設定されている。
【００９３】
ステップＳ１０５では、制御部６０は、光源装置駆動部６１に対して、光源装置１の発熱量を定格の発熱量となるように指示する。光源装置駆動部６１は、電源部５６に指示することにより、電源部５６は、定格の電流（通常動作時の電流）を光源装置駆動部６１に送る。光源装置駆動部６１は、電源部５６からの電流を光源装置１に印加することで、光源装置１の発熱量を定格の発熱量となるように変更する。これにより、ループ型ヒートパイプ１０の受熱部１１１には、定格の発熱量が印加される。次に、ステップＳ１０６に移行する。
【００９４】
ステップＳ１０６では、制御部６０は、冷却ファン６５への定格電圧の印加を開始し、冷却ファン６５に通常動作を開始させる。冷却ファン６５は動作を開始して凝縮部１２を冷却する。次に、ステップＳ１０７に移行する。
【００９５】
ステップＳ１０７では、制御部６０は、調光装置駆動部６６に対して、調光装置８０を通常動作させる指示を行う。調光装置駆動部６６は、制御部６０の指示により、調光装置８０を駆動して、通常動作時の位置関係となるように、回動軸８２を中心に一対の遮光板８１を回動させて通常動作を開始させる。
以上でフローチャートが終了する。
【００９６】
上記、フローチャートにより、ループ型ヒートパイプ１０の始動開始時間を従来に比べて短縮することができ、光源装置１の温度も起動からのオーバーシュートの量を小さくすることができる。また、始動開始時間までの間の高くなる輝度を定格の輝度に合せることもできる。
【００９７】
なお、ループ型ヒートパイプ１０が始動を開始した場合には、光源装置１が定格の発熱量を維持する状態であれば、熱輸送装置１００は、以降のループ型ヒートパイプ１０の冷却動作を安定して維持することができる。これにより、光源装置１は、熱輸送装置１００の冷却動作により適切に冷却される。
【００９８】
上述した実施形態によれば、以下の効果が得られる。
（１）本実施形態の熱輸送装置１００は、制御部６０が、ループ型ヒートパイプ１０の起動時に、発熱部としての光源装置１の発熱量の制御を行うことにより、蒸発部１１での作動液１８の蒸発を制御することができる。従って、ループ型ヒートパイプ１０の始動開始時間を制御することができる。また、光源装置１の発熱温度のオーバーシュートも制御することができる。
【００９９】
（２）本実施形態の熱輸送装置１００は、蒸発部１１の温度を検出する温度検出部６２を備える簡易な構成により、制御部６０は、温度検出部６２で検出された検出温度と所定温度とを比較し、検出温度が所定温度より低い場合、冷却対象および発熱部としての光源装置１の発熱量を一時的に定格以上の発熱量となるように制御を行う。これにより、蒸発部１１での作動液１８の蒸発を促進させることができ、ループ型ヒートパイプ１０の始動開始時間を短縮させることができる。また、光源装置１の発熱温度のオーバーシュートも抑制することができる。
【０１００】
（３）本実施形態の熱輸送装置１００は、ループ型ヒートパイプ１０が始動を開始するまでの間では、冷却ファン６５による凝縮部１２の冷却は必要ないため、冷却ファン６５を停止させている。これにより、省エネルギー化や低騒音化を図ることができる。
【０１０１】
（４）本実施形態のプロジェクター７は、ループ型ヒートパイプ１０の始動開始時間を短縮した熱輸送装置１００を備えているため、プロジェクター７を駆動した場合、発熱する光源装置１を適正に冷却することができる。また、光源装置１の発熱温度のオーバーシュートも抑制することができる。
【０１０２】
（５）本実施形態のプロジェクター７は、調光装置８０を備えることで、ループ型ヒートパイプ１０が始動を開始するまでの間、光量を抑制することで、定格での光量（通常動作時での光量）に調整することができ、ループ型ヒートパイプ１０の始動開始までの間の輝度を、始動開始後の通常動作時の輝度に合せることができる。このため、使用者に投写画像の輝度の違いによる違和感を抱かせることを抑制させることができる。
【０１０３】
〔第２実施形態〕
図６は、第２実施形態に係るプロジェクター７Ａの回路の概構成を模式的に示す図である。図６を参照して、本実施形態のプロジェクター７Ａの回路構成に関して説明する。
【０１０４】
なお、本実施形態のプロジェクター７Ａの回路構成は、第１実施形態のプロジェクター７の回路構成に比べて、以下の点が異なり、他の構成部は同様となる。なお、同様の構成部や同等の動作を行う構成部には第１実施形態と同様の符号を付記している。
【０１０５】
第１実施形態のプロジェクター７は、温度検出部６２及び制御部６０（温度比較部６０ａ）を備えているが、本実施形態のプロジェクター７Ａでは、温度検出部６２及び温度比較部６０ａは備えずに、経過時間計測部６７及び制御部６０（経過時間比較部６０ｂ）を備えている。
【０１０６】
従って、本実施形態の熱輸送装置１００Ａは、ループ型ヒートパイプ１０、制御部６０（経過時間比較部６０ｂ）、光源装置駆動部６１、冷却ファン６５、調光装置駆動部６６、経過時間計測部６７、調光装置８０等により構成されている。
【０１０７】
以降では、第１実施形態と異なる構成部に関して説明を行い、同様の構成部に関しての説明は省略する。
本実施形態の熱輸送装置１００Ａは、冷却対象としての光源装置１の起動からの経過時間を計測する経過時間計測部６７を備えている。経過時間計測部６７は、タイマー等により構成されている。そして、制御部６０は、経過時間比較部６０ｂを備えており、経過時間計測部６７により計測された経過時間と所定時間とを比較する。そして、制御部６０は、経過時間が所定時間より短い場合、光源装置１の発熱量を一時的に定格以上の発熱量となるように制御を行う。
【０１０８】
なお、所定時間とは、光源装置１の発熱量を一時的に定格以上の発熱量に高め、高めた熱を蒸発部１１（受熱部１１１）に加えた場合に、ループ型ヒートパイプ１０が始動を開始するまでの時間としている。所定時間は、発熱量の大きさとループ型ヒートパイプ１０の始動開始までの時間のデータを計測して、確実にループ型ヒートパイプ１０が始動を開始するまでの時間を設定している。
【０１０９】
図７は、熱輸送装置１００Ａを備えたプロジェクター７Ａの動作を示すフローチャートである。図７を参照して、本実施形態のループ型ヒートパイプ１０を始動させるまでのフローを説明する。
【０１１０】
図７に示すように、プロジェクター７Ａの電源をＯＮする（ステップＳ２００）。ステップＳ２０１では、制御部６０は、電源ＯＮにより駆動を開始した光源装置１の起動からの経過時間を経過時間計測部６７に計測させる。そして、経過時間比較部６０ｂで、その経過温度と所定時間との比較を行う。具体的には、経過時間比較部６０ｂは、経過時間が所定時間より長いか否かを判断する。なお、この検出は所定のサンプリング周期で検出する。
【０１１１】
ここで、経過時間が所定時間より短い（ステップＳ２０１：Ｎ０）と判断した場合（経過時間が所定時間に達していない場合）には、ステップＳ２０２に移行する。ステップＳ２０２では、制御部６０は、光源装置駆動部６１に対して、光源装置１の発熱量を一時的に定格以上の発熱量となるように制御を行う。
【０１１２】
なお、ステップＳ２０２〜ステップＳ２０４は、第１実施形態のステップＳ１０２〜ステップＳ１０４の動作と同様となるため、説明は簡略化する。
【０１１３】
ステップＳ２０２では、制御部６０の指示により光源装置駆動部６１は、電源部５６から出力された設定された電流を光源装置１に印加することで、光源装置１の発熱量を定格の発熱量よりも高い発熱量となるように変更する。これにより、ループ型ヒートパイプ１０の受熱部１１１には、定格の発熱量よりも高い熱量が印加される。
ステップＳ２０３では、制御部６０は、冷却ファン６５への駆動電圧の印加を停止する。言い換えると、冷却ファン６５の駆動を停止させる。
【０１１４】
ステップＳ２０４では、調光装置駆動部６６は、制御部６０の指示により、調光装置８０を駆動して、設定される位置関係となるように、回動軸８２を中心に一対の遮光板８１を回動させる。この調光装置８０の動作により、投写画像の高い輝度を定格での輝度に合せる。次に、ステップＳ２０１に移行する。なお、経過時間が所定時間より短い場合には、上記プロセス（ステップＳ２０２〜ステップＳ２０４）を繰り返す。
【０１１５】
ステップＳ２０１で、経過時間が所定時間より長い（ステップＳ２０１：ＹＥＳ）と判断した場合（経過時間が所定時間に達した場合）には、ステップＳ２０５に移行する。なお、経過時間が所定時間より長い場合とは、図２に示すように、ループ型ヒートパイプ１０が始動を開始した状態となったことを意味する。
【０１１６】
なお、以降のステップＳ２０５〜ステップＳ２０７は、第１実施形態のステップＳ１０５〜ステップＳ１０７の動作と同様となるため、説明は簡略化する。
【０１１７】
ステップＳ２０５では、光源装置１の発熱量を定格の発熱量となるように変更する。これにより、ループ型ヒートパイプ１０の受熱部１１１には、定格の発熱量が印加される。
ステップＳ２０６では、制御部６０は、冷却ファン６５への定格電圧の印加を開始することで、冷却ファン６５に通常動作を開始させる。冷却ファン６５は動作を開始して凝縮部１２を冷却する。
【０１１８】
ステップＳ２０７では、制御部６０は、調光装置駆動部６６に対して、調光装置８０を通常動作させる指示を行う。調光装置駆動部６６は、制御部６０の指示により、調光装置８０を駆動して、通常動作時の位置関係となるように、回動軸８２を中心に一対の遮光板８１を回動させて通常動作を開始させる。
以上でフローチャートが終了する。
【０１１９】
上述した実施形態によれば、第１実施形態の熱輸送装置１００による効果（１），（３）、及び第１実施形態のプロジェクター７による効果（４），（５）と同様の効果を奏することができる他、以下の効果を奏することができる。
【０１２０】
（１）本実施形態の熱輸送装置１００Ａは、光源装置１の起動からの経過時間を計測する経過時間計測部６７を備える簡易な構成により、制御部６０は、経過時間計測部６７により計測された経過時間と所定時間とを比較し、経過時間が所定時間より短い場合、冷却対象および発熱部としての光源装置１の発熱量を一時的に定格以上の発熱量となるように制御を行う。これにより、蒸発部１１での作動液１８の蒸発を促進させることができ、ループ型ヒートパイプ１０の始動開始時間を短縮させることができる。また、光源装置１の発熱温度のオーバーシュートも抑制することができる。
【０１２１】
なお、上述した実施形態に限定されず、その要旨を逸脱しない範囲において種々の変更や改良等を加えて実施することが可能である。変形例を以下に述べる。
【０１２２】
上記、第１実施形態の熱輸送装置１００において、冷却ファン６５は、ループ型ヒートパイプ１０が始動を開始するまでの間、駆動を停止している。しかし、これに限定されず、冷却ファン６５は回転数が抑制されてもよいし、定格電圧で駆動させることでもよい。これは、第２実施形態でも同様となる。
【０１２３】
上記、第１実施形態の熱輸送装置１００は、温度検出部６２を蒸発部１１（受熱部１１１）に設置しているが、発熱部（光源装置１）に設置することでもよい。
【０１２４】
上記、第１実施形態の熱輸送装置１００は、レーザー光源１ａを有する光源装置１を冷却するために用いられている。しかし、これに限定されず、光源やリフレクター等から構成される放電式の光源装置、または電源部にも用いることも可能である。また、熱輸送装置１００は、光源装置や電源部以外の冷却対象に用いることができる。また、プロジェクターのみならず、他の電子機器に用いることができる。これは、第２実施形態でも同様となる。
【０１２５】
上記、第１実施形態の熱輸送装置１００において、レーザー光源１ａを有する光源装置１に、レーザー光源１ａに印加する定格電力を維持するための温度センサーが備わる場合には、この温度センサーを利用することで、光源装置１の温度が上限値を超える場合には、定格電力に戻す等の制御を行うことができる。
また、光源装置１に温度センサーが備わる場合、この温度センサーを温度検出部６２として用いることもできる。その場合には、この温度センサーの検出温度から蒸発部１１の温度を予測して蒸発部１１の検出温度として用いることができる。
【符号の説明】
【０１２６】
１…光源装置、１ａ…レーザー光源、１ｂ…ベース部、７，７Ａ…プロジェクター、１０…ループ型ヒートパイプ、１１…蒸発部、１２…凝縮部、１３…蒸気管、１４…液管、１８…作動液、５６…電源部、６０…制御部、６０ａ…温度比較部、６０ｂ…経過時間比較部、６１…光源装置駆動部、６２…温度検出部、６５…冷却ファン、６６…調光装置駆動部、６７…経過時間計測部、７０…光学系、８０…調光装置、８１…遮光板、１００，１００Ａ…熱輸送装置、１１１…受熱部、１１２…多孔質体、１１２ａ…蒸気流路を構成する溝、１２１…ヒートシンク、１３０…蒸気流路、１４０…作動液流路、７３０Ｒ，７３０Ｇ，７３０Ｂ…光変調装置としての液晶パネル、７５０…投写光学装置を構成する投写光学系。
【図１】
2018109718.tif 000003
【図２】
2018109718.tif 000004
【図３】
2018109718.tif 000005
【図４Ａ】
2018109718.tif 000006
【図４Ｂ】
2018109718.tif 000007
【図５】
2018109718.tif 000008
【図６】
2018109718.tif 000009
【図７】
2018109718.tif 000010